(57)【要約】本発明は、無線通信システムにおける方法及び構成に関し、特に、アップリンク・アウターループ電力制御に関する。ＮｏｄｅＢは、当該ＮｏｄｅＢがデータをそこから受信するＵＥが所定の一連の電力要求状況にあるかどうかを確認する。ＮｏｄｅＢは、ＵＥが電力要求状況にあると確認されている場合にＵＥのＳＩＲ目標値に維持するための標識を、ＲＮＣに送信する。結果として、ＲＮＣにおけるアップリンク・アウターループ電力制御（ＯＬＰＣ：ｏｕｔｅｒ  ｌｏｏｐ  ｐｏｗｅｒ  ｃｏｎｔｒｏｌ）の手続きは、ＵＥのＳＩＲ目標値を変更しない。このことは、ＵＥが電力要求状況にある限りＵＥの出力電力レベルが変化しないことを意味する。従って、ユーザ及びネットワークの性能が無線通信システムにおいて改善される。【選択図】図２
2011503962.tif 000002
【特許請求の範囲】
【請求項１】
無線通信システム（１０）に含まれるネットワークノード（３０）における方法であって、前記ネットワークノードは、少なくとも１つのユーザ機器（２０）との無線通信を可能にするよう適合され、
前記方法は、
前記少なくとも１つのユーザ機器からアップリンクデータを受信するステップ（２００）と、
前記少なくとも１つのユーザ機器が、一連の所定のユーザ機器電力要求状況のうちの少なくとも１つの状況にあるかどうかを確認するステップ（２３０）と、
前記少なくとも１つのユーザ機器が一連の所定のユーザ機器電力要求状況のうちの少なくとも１つの状況にあることが確認されている場合に、前記少なくとも１つのユーザ機器のための信号対干渉比であるＳＩＲ（ｓｉｇｎａｌ  ｔｏ  ｉｎｔｅｒｆｅｒｅｎｃｅ  ｒａｔｉｏ）目標値を維持するための標識を設定するステップ（２４０）と、
前記無線通信システムに含まれる無線ネットワーク制御ノード（４０）に対して前記標識をシグナリングするステップ（２５０）と、
を含む、方法。
【請求項２】
前記方法は、
ＨＡＲＱプロトコルを用いて前記受信されたアップリンクデータを復号するステップ（２１０）と、
前記受信されたアップリンクデータの前記復号の結果を決定するステップ（２２０）と、
を含み、
前記少なくとも１つのユーザ機器の前記ＳＩＲ目標値を維持するための前記標識は、追加的に、前記受信されたアップリンクデータの前記復号の前記決定された結果に基づく、
請求項１に記載の方法。
【請求項３】
前記一連の所定のユーザ機器電力要求状況は、前記少なくとも１つのユーザ機器が電力を制限されている状況を含む、前記請求項１又は２に記載の方法。
【請求項４】
前記一連の所定のユーザ機器電力要求状況は、前記少なくとも１つのユーザ機器が干渉除去処理に陥っている状況を含む、前記請求項１〜３のいずれかに記載の方法。
【請求項５】
前記一連の所定のユーザ機器電力要求状況は、前記少なくとも１つのユーザ機器が検出された不安定な状況に陥っている状況を含む、前記請求項１〜４のいずれかに記載の方法。
【請求項６】
前記検出された不安定な状況は、評価されたアップリンク雑音の上昇が、所定の閾値を上回っていることに基づく、前記請求項５に記載の方法。
【請求項７】
前記検出された不安定な状況は、ＳＩＲの誤差分散が所定の閾値を上回っていることに基づく、前記請求項５に記載の方法。
【請求項８】
前記方法は、インナーループ電力制御を維持するために前記少なくとも１つのユーザ機器にシグナリングする追加的なステップ（２７０）を含む、前記請求項４〜７のいずれかに記載の方法。
【請求項９】
インナーループ電力制御を維持するために前記少なくとも１つのユーザ機器にシグナリングする前記ステップ（２７０）は、交互の電力制御コマンドをシグナリングすることにより実行される、前記請求項８に記載の方法。
【請求項１０】
前記方法は、前記少なくとも１つのユーザ機器に対して、限定出力電力増加操作をシグナリングする追加的なステップ（２７０）を含み、
前記限定出力電力増加操作は、所定数の制御周期又はスロットに渡る電力制御コマンドの総数に対応して、前記電力調整の数の上昇を制限する、前記請求項４〜７のいずれかに記載の方法。
【請求項１１】
前記標識は、前記アップリンクデータと共に送信される、前記請求項１〜１０のいずれかに記載の方法。
【請求項１２】
前記標識及び前記アップリンクデータは、制御及びデータ伝送のための専用プロトコルで送信される、前記請求項１１に記載の方法。
【請求項１３】
前記標識及び前記アップリンクデータは、ＤＣＨフレームプロトコルで送信される、前記請求項１１又は１２に記載の方法。
【請求項１４】
前記標識は、前記ＤＣＨフレームプロトコルの固定部分において送信される、前記請求項１３に記載の方法。
【請求項１５】
前記ＤＣＨフレームプロトコルは、「ＨＡＲＱ再送数」フィールドを含み、前記標識は、前記ＨＡＲＱ再送数フィールドにおいて符号化される、前記請求項１４に記載の方法。
【請求項１６】
無線通信システム（１０）に接続されるよう構成されたネットワークノード（３０）であって、前記ネットワークノードは、少なくとも１つのユーザ機器（２０）との無線通信を可能にするよう適合され、
前記ネットワークノードは、
前記少なくとも１つのユーザ機器からアップリンクデータを受信するための受信機（３２）と、
前記少なくとも１つのユーザ機器が、一連の所定のユーザ機器電力要求状況のうちの少なくとも１つの状況にあるかどうかを確認するための手段（３４）と、
前記少なくとも１つのユーザ機器が一連の所定のユーザ機器電力要求状況のうちの少なくとも１つの状況にあることが確認されている場合に、前記少なくとも１つのユーザ機器のＳＩＲ目標値を維持するための標識を設定する手段（３６）と、
前記無線通信システムに含まれる無線ネットワーク制御ノード（４０）に対して前記標識をシグナリングするための送信機（３８）と、
を備える、ネットワークノード。
【請求項１７】
前記ネットワークノードは、
ＨＡＲＱプロトコルを用いて前記受信されたアップリンクデータを復号するための復号器（３２）と、
前記受信されたアップリンクデータの前記復号の結果を決定するための手段（３２）と、
を備え、
前記ユーザ機器の前記ＳＩＲ目標値を維持するための前記標識は、追加的に、前記受信されたアップリンクデータの前記復号の前記決定された結果に基づく、
請求項１６に記載のネットワークノード。
【請求項１８】
前記一連の所定のユーザ機器電力要求状況は、前記少なくとも１つのユーザ機器が電力を制限されている状況を含む、前記請求項１６又は１７に記載のネットワークノード。
【請求項１９】
前記一連の所定のユーザ機器電力要求状況は、前記少なくとも１つのユーザ機器が干渉除去処理に陥っている状況を含む、前記請求項１６〜１８のいずれかに記載のネットワークノード。
【請求項２０】
前記一連の所定のユーザ機器電力要求状況は、前記少なくとも１つのユーザ機器が検出された不安定な状況にある状況を含む、前記請求項１６〜１９のいずれかに記載のネットワークノード。
【請求項２１】
前記検出された不安定な状況は、評価されたアップリンク雑音の上昇が、所定の閾値を上回っていることに基づく、前記請求項２０に記載のネットワークノード。
【請求項２２】
前記検出された不安定な状況は、ＳＩＲの誤差分散が所定の閾値を上回っていることに基づく、前記請求項２０に記載のネットワークノード。
【請求項２３】
前記ネットワークノードは、インナーループ電力制御を維持するために前記少なくとも１つのユーザ機器に対してシグナリングするための送信機（３８）を備える、前記請求項１９〜２２のいずれかに記載のネットワークノード。
【請求項２４】
インナーループ電力制御を維持するための前記少なくとも１つのユーザ機器に対するシグナリングは、交互の電力制御コマンドをシグナリングすることにより実行される、前記請求項２３に記載の方法。
【請求項２５】
前記少なくとも１つのユーザ機器に対して限定出力電力増加操作をシグナリングするための送信機（３８）を含み、
前記限定出力電力増加操作は、所定数の制御周期又はスロットに渡る電力制御コマンドの総数に対応して、前記電力調整の数の上昇を制限する、前記請求項１９〜２２のいずれかに記載の方法。
【請求項２６】
前記標識は、前記アップリンクデータと共に送信されるよう構成される、前記請求項１６〜２５のいずれかに記載のネットワークノード。
【請求項２７】
前記標識及び前記アップリンクデータは、制御及びデータ伝送のための専用プロトコルで送信されるよう構成される、前記請求項２６に記載のネットワークノード。
【請求項２８】
前記標識及び前記アップリンクデータは、ＤＣＨフレームプロトコルで送信されるよう構成される、前記請求項２６又は２７に記載のネットワークノード。
【請求項２９】
前記標識は、前記ＤＣＨフレームプロトコルの固定部分において送信されるよう構成される、前記請求項２８に記載のネットワークノード。
【請求項３０】
前記ＤＣＨフレームプロトコルは、「ＨＡＲＱ再送数」フィールドを含み、前記標識は、前記ＨＡＲＱ再送数フィールドにおいて符号化される、前記請求項２９に記載のネットワークオノード。
【請求項３１】
無線通信システム（１０）に含まれる無線ネットワーク制御ノード（４０）における方法であって、前記無線ネットワーク制御ノードは、少なくとも１つのユーザ機器（２０）との無線通信を可能にするネットワークノード（３０）に接続され、
前記方法は、
前記少なくとも１つのユーザ機器が一連の所定のユーザ機器電力要求状況のうちの少なくとも１つの状況にあることが確認されている場合に、前記少なくとも１つのユーザ機器に関するデータと、前記少なくとも１つのユーザ機器のＳＩＲ目標値を維持するための前記少なくとも１つユーザ機器に関する標識と、を前記ネットワークノード（３０）から受信する（２５０）ステップと、
前記標識において表示される場合に、前記少なくとも１つのユーザ機器の前記ＳＩＲ目標値を維持する（２６０）ステップと、
を含む、方法。
【請求項３２】
前記標識は、前記アップリンクデータと共に送信される、前記請求項３１に記載の方法。
【請求項３３】
前記標識及び前記アップリンクデータは、制御及びデータ伝送のための専用プロトコルで送信される、前記請求項３２に記載の方法。
【請求項３４】
前記標識及び前記アップリンクデータは、ＤＣＨフレームプロトコルで送信される、前記請求項３２又は３３に記載の方法。
【請求項３５】
前記標識は、前記ＤＣＨフレームプロトコルの固定部分において送信される、前記請求項３４に記載の方法。
【請求項３６】
前記ＤＣＨフレームプロトコルは、「ＨＡＲＱ再送数」フィールドを含み、前記標識は、前記ＨＡＲＱ再送数フィールドにおいて符号化される、前記請求項３５に記載の方法。
【請求項３７】
無線通信システム（１０）に接続されるよう構成された無線ネットワーク制御ノード（４０）であって、前記無線ネットワーク制御ノードは、少なくとも１つのユーザ機器（２０）との無線通信を可能にするネットワークノード（３０）に接続されるように構成され、
前記無線ネットワーク制御ノードは、
前記少なくとも１つのユーザ機器が一連の所定のユーザ機器電力要求状況のうちの少なくとも１つの状況にあることが確認されている場合に、前記少なくとも１つのユーザ機器に関するデータと、前記少なくとも１つのユーザ機器のＳＩＲ目標値を維持するための前記少なくとも１つユーザ機器に関する標識と、を前記ネットワークノード（３０）から受信するための受信機（４２）と、
前記標識において表示される場合に、前記少なくとも１つのユーザ機器の前記ＳＩＲ目標値を維持するための手段（４４）と、
を備える、無線ネットワーク制御ノード。
【請求項３８】
前記標識は、前記アップリンクデータと共に送信されるよう構成される、前記請求項３７に記載の無線ネットワーク制御ノード。
【請求項３９】
前記標識及び前記アップリンクデータは、制御及びデータ伝送のための専用プロトコルで送信されるよう構成される、前記請求項３８に記載の無線ネットワーク制御ノード。
【請求項４０】
前記標識及び前記アップリンクデータは、ＤＣＨフレームプロトコルで送信されるよう構成される、前記請求項３８又は３９に記載の無線ネットワーク制御ノード。
【請求項４１】
前記標識は、前記ＤＣＨフレームプロトコルの固定部分において送信されるよう構成される、前記請求項４０に記載の無線ネットワーク制御ノード。
【請求項４２】
前記ＤＣＨフレームプロトコルは、「ＨＡＲＱ再送数」フィールドを含み、前記標識は、前記ＨＡＲＱ再送数フィールドにおいて符号化される、前記請求項４１に記載の無線ネットワーク制御ノード。
【発明の詳細な説明】
【技術分野】
【０００１】
本発明は、無線通信システムにおける方法及び構成に関し、特に、アップリンク・アウターループ電力制御に関する。
【背景技術】
【０００２】
第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は、国際電気通信連合（ＩＴＵ：Ｉｎｔｅｒｎａｔｉｏｎａｌ  Ｔｅｌｅｃｏｍｍｕｎｉｃａｔｉｏｎ  Ｕｎｉｏｎ）の国際移動通信２０００プロジェクトの範囲において全世界で適用可能な第３世代携帯電話システムの仕様を創出するための、電気通信協会の団体間の共同研究である。３ＧＰＰの仕様は、移動通信のための発展型グローバルシステム（ｅｖｏｌｖｅｄ  ＧＳＭ：ｅｖｏｌｖｅｄ  Ｇｌｏｂａｌ  Ｓｙｓｔｅｍ  ｆｏｒ  Ｍｏｂｉｌｅ  Ｃｏｍｍｕｎｉｃａｔｉｏｎｓ）の仕様に基づいている。３ＧＰＰの標準規格は、無線、コアネットワーク、及びサービス構造を含む。第３世代移動通信システム１０の一般的構造及びその発展が、図１に示されている。コアネットワークは、アクセスネットワークにより接続される顧客に対して様々なサービスを提供するモバイルネットワークの中心的部分である。ユーザ機器２０は、事業者のコアネットワークにより提供されるサービスに加入者がそれによってアクセスすることが可能な移動端末である。無線アクセスネットワーク（ＲＡＮ：Ｒａｄｉｏ  Ａｃｃｅｓｓ  Ｎｅｔｗｏｒｋ）は、無線伝送と、無線接続の制御の責任があるネットワークの一部である。無線ネットワークサブシステム（ＲＮＳ：Ｒａｄｉｏ  Ｎｅｔｗｏｒｋ  Ｓｕｂｓｙｓｔｅｍ）は、１つの無線ネットワークコントローラ（ＲＮＣ：Ｒａｄｉｏ  Ｎｅｔｗｏｒｋ  Ｃｏｎｔｒｏｌｌｅｒ）４０と、１つ又は幾つかの基地局（ＢＳ：ｂａｓｅ  ｓｔａｔｉｏｎ）３０と、から構成される。さらに、無線ネットワークコントローラ（ＲＮＣ）４０は、セルの一群内で無線リソース及び無線接続性を制御すると同様に、ＲＮＳ内の基地局を制御する。セルは地理的エリアをカバーし、セル内の無線カバレージは、1つ以上のセル内で無線送受信を処理する基地局によって提供される。
【０００３】
３ＧＰＰリリース９９において、ＲＮＣは、リソースと、ユーザの移動度（ｍｏｂｉｌｉｔｙ）と、を制御する。このフレームワークでのリソース制御は、流入制御と、輻輳制御と、チャネル切り替え、即ち、ある接続のデータレートの粗い変更と、を指している。さらに、専用の接続が、専用物理制御チャネル（ＤＰＣＣＨ：Ｄｅｄｉｃａｔｅｄ  Ｐｈｙｓｉｃａｌ
Ｃｏｎｔｒｏｌ  Ｃｈａｎｎｅｌ）及び専用物理データチャネル（ＤＰＤＣＨ：Ｄeｄｉｃａｔｅｄ  Ｐｈｙｓｉｃａｌ  Ｄａｔａ  Ｃｈａｎｎｅｌ）として実現される専用チャネル（ＤＣＨ：ｄｅｄｉｃａｔｅｄ  ｃｈａｎｎｅｌ）を介して支えられる。
【０００４】
拡張アップリンク（ＥＵＬ：Ｅｎｈａｎｃｅｄ  Ｕｐｌｉｎｋ）のためのＵＭＴＳリリース６の仕様のような拡張型３Ｇ標準規格において、トレンドは、意思決定、特にユーザ接続の短期データレート（ｓｈｏｒｔ  ｔｅｒｍ  ｄａｔａ  ｒａｔｅ）の制御を分散させることである。アップリンクデータはその場合、連続的なＤＰＣＣＨとして実現されるＥ−ＤＣＨ（ｅｎｈａｎｃｅｄ  ＤＣＨ、拡張ＤＣＨ）と、データ制御のためのＥ−ＤＰＣＣＨ及びデータのためのＥ−ＤＰＤＣＨと、に割り当てられる。後の２つは、送信するアップリンクデータが存在する場合にのみ割り当てられる。従って、基地局のアップリンクスケジューラは、各ユーザがＥ−ＤＰＤＣＨを介してどの送信フォーマットを利用しうるかについて決定する。しかし、ＲＮＣはまだ流入制御及び輻輳制御の責任がある。
【０００５】
Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、広帯域符号分割多重アクセス）において、専用チャネルは電力制御されている。アップリンクにおいて、このことは、受信されたＤＰＣＣＨ信号の品質、ＳＩＲを基地局が測定し、測定値を所望の信号品質、ＳＩＲ目標値と比較することを意味する。ＳＩＲがＳＩＲ目標値以下である場合には、基地局は、所定のステップにより電力を増やすために、ＵＥに対して送信電力制御コマンド「アップ」（“ｕｐ”）をシグナリングする。ＳＩＲがＳＩＲ目標値よりも高い場合には、基地局は、所定のステップにより電力を減らすために、ＵＥに対して送信電力制御コマンド「ダウン」（“ｄｏｗｎ”）をシグナリングする。ＳＩＲ目標値は、アウターループ電力制御（ＯＬＰＣ：ｏｕｔｅｒ  ｌｏｏｐ  ｐｏｗｅｒ  ｃｏｎｔｒｏｌ）として公知のＤＣＨフレームプロトコルの手続きを介して、ＲＮＣによって定期的に更新される。ＤＣＨについては、ＳＩＲ目標値のＯＬＰＣ調整は、データブロックが正しく復号されたか否かを示す巡回冗長検査インジケータ（ＣＲＣＩ：Ｃｙｃｌｉｃ  Ｒｅｄｕｎｄａｎｃｙ  Ｃｈｅｃｋ  Ｉｎｄｉｃａｔｏｒ）に基づいている。Ｅ−ＤＣＨについては、ハイブリッド自動再送要求（ＨＡＲＱ：ｈｙｂｒｉｄ  ａｕｔｏｍａｔｉｃ  ｒｅｐｅａｔ  ｒｅｑｕｅｓｔ）受信機が、その代わりに、それが着目するＨＡＲＱ再送の数であることを意味する、データブロックの多重伝送を処理する。ＨＡＲＱ再送数は、同様にＤＣＨフレームプロトコルの手続きを介して、データブロックと一緒に送信される。ＨＡＲＱ再送数は、ＤＣＨフレームプロトコルにおいて「ＨＡＲＱ再送数フィールド」（“ｎｕｍｂｅｒ  ｏｆ  ＨＡＲＱ  ｒｅｔｒａｎｓｍｉｓｓｉｏｎｓ”）に、４ビットによって符号化され、値０〜１１はＨＡＲＱ再送数を示し、値１２は１２以上のＨＡＲＱ再送を示し、値１５はＨＡＲＱ再送数が未知であることを示す。ＲＮＣが、正確に復号されたデータブロックを、再送数を示す値と共に受信した場合に、後者の値が目標再送数と比較される。再送数が目標再送数を上回る場合には、ＯＬＰＣは、所定のステップＡによりＳＩＲ目標値を上げ、再送数が目標再送数以下である場合には、ＯＬＰＣは、所定のステップＢによりＳＩＲ目標値を下げる。ステップＡ及びＢは、構成可能なステップサイズ（ｓｔｅｐ  ｓｉｚｅ）に直接的に比例し、再送数が目標再送数を上回るという構成可能な確率に関連している。
【０００６】
さらに、再送数が所定の限界値に達する場合に、基地局は、ＤＣＨフレームプロトコルに従ってＲＮＣに対してＨＡＲＱエラーをシグナリングする。このシグナリングされるフレームにおいて、ＨＡＲＱエラーが起きた場合の再送数の値も示される。
【発明の概要】
【発明が解決しようとする課題】
【０００７】
アップリンクＯＬＰＣはＲＮＣ内に備わっており、ＲＮＣは、基地局、即ちＮｏｄｅＢにおける実際のアップリンク状況が分からない。例えば、高いＨＡＲＱ再送数は、ＵＥにおける電力制限に因ることがあり、その場合には、ＳＩＲ目標値を上げるというアクションは状況を悪化させる。他の例において、ＮｏｄｅＢは、一時的に通常よりも効果が低いこともある干渉除去を採用している。高い再送数は、ＳＩＲ目標値を上昇させる原因となるが、このことは、干渉除去アルゴリズムが回復されているかどうかを必要としない。
【０００８】
本発明の目的は、無線通信システムにおけるネットワーク及びユーザ性能を改善することである。
【課題を解決するための手段】
【０００９】
本目的は、基地局がＵＥからアップリンクデータを受信する場合に、ＵＥが一連の所定のＵＥ電力要求状況のうちの少なくとも１つの状況にあるかどうかを基地局において確認することによって達成される。ＵＥが一連の所定のＵＥ電力要求状況のうちの少なくとも１つの状況にあることが確認されている場合に、ＵＥのＳＩＲ目標値を維持するための標識が基地局によって設定される。さらに、基地局は、無線通信システムに含まれる無線ネットワーク制御ノードに対して標識をシグナリングする。無線ネットワーク制御ノードは標識を受信し、ＵＥのＳＩＲ目標値を維持する。
【００１０】
本発明の第１の観点によれば、ネットワークノードのための方法が提供される。本方法において、ネットワークノードは、少なくとも１つのＵＥからアップリンクデータを受信し、当該少なくとも１つのＵＥが、一連の所定のＵＥ電力要求状況のうちの少なくとも１つの状況にあるかどうかを確認する。上記少なくとも１つのＵＥが一連の所定のＵＥ電力要求状況のうちの少なくとも１つの状況にあることが確認されている場合に、ネットワークノードは、少なくとも１つのＵＥのＳＩＲ目標値を維持するための標識を設定する。さらに、ネットワークノードは、無線通信システムに含まれる無線ネットワーク制御ノードに対して標識をシグナリングする。
【００１１】
本発明の第２の観点によれば、ネットワークノードが提供される。ネットワークノードは、少なくとも１つのＵＥからアップリンクデータを受信するための受信機と、少なくとも１つのＵＥが、一連の所定のＵＥ電力要求状況のうちの少なくとも１つの状況にあるかどうかを確認するための手段と、を含む。さらに、ネットワークノードは、少なくとも１つのＵＥが一連の所定のＵＥ電力要求状況のうちの少なくとも１つの状況にあることが確認されている場合に、少なくとも１つのＵＥのＳＩＲ目標値を維持するための標識を設定するための手段を含む。ネットワークノードはさらに、無線通信システムに含まれる無線ネットワーク制御ノードに対して標識をシグナリングするための送信機を含む。
【００１２】
本発明の第３の観点によれば、ネットワーク制御ノードにおける方法が提供される。本方法において、無線ネットワーク制御ノードは、少なくとも１つのＵＥが一連の所定のＵＥ電力要求状況のうちの少なくとも１つの状況にあることが確認されている場合に、少なくとも１つのＵＥに関するデータと、少なくとも１つのＵＥのＳＩＲ目標値を維持するための少なくとも１つのＵＥに関する標識と、をネットワークノードから受信する。さらに、無線ネットワーク制御ノードは、標識において表示される場合に、少なくとも１つのＵＥのＳＩＲ目標値を維持する。
【００１３】
本発明の第４の観点によれば、無線ネットワーク制御ノードが提供される。無線ネットワーク制御ノードは、少なくとも１つのＵＥが一連の所定のＵＥ電力要求状況のうちの少なくとも１つの状況にあることが確認されている場合に、少なくとも１つのＵＥに関するデータと、少なくとも１つのＵＥのＳＩＲ目標値を維持するための少なくとも１つＵＥに関する標識と、をネットワークノードから受信するための受信機を含む。さらに、無線ネットワーク制御ノードは、標識において表示される場合に、少なくとも１つのＵＥのＳＩＲ目標値を維持するための手段を含む。
【発明の効果】
【００１４】
本発明の実施形態による効果は、ＵＥの出力電力の変更が状況を悪化させるであろう状況をＮｏｄｅＢが確認した場合に、ＵＥのＳＩＲ目標値を維持することをＲＮＣに報知するための方法を提供することである。
【００１５】
本発明の実施形態のよる他の効果は、ＵＥが電力を制限されている場合に出力電力レベルを上げることが防止されるため、ユーザ機器の性能が向上されることである。
【００１６】
本発明の実施形態による更なる効果は、ＵＥの出力電力の不必要な増加が防止されることである。
【００１７】
本発明の実施形態による更なる効果は、貴重なアップリンク無線リソースが節約されることである。
【００１８】
更なる他の効果は、本発明の実施形態により、通信システムにおける電力ラッシュ（ｐｏｗｅｒ  ｒｕｓｈ）が低減されることである。
【００１９】
更なる他の効果は、不安定な状況を解消するためにより少ない時間が掛かることである。
【図面の簡単な説明】
【００２０】
より良い理解のために、以下の図面及び本発明の好適な実施形態が参照される。
【図１】本発明に係る無線アクセスネットワークの構造を示す。
【図２】本発明の方法を示すフローチャートである。
【図３】本発明に係る特定のモバイルのための、基地局における限定出力電力増加操作を示す。
【図４】本発明に係るネットワークノード及び無線ネットワーク制御ノードを概略的に示すブロック図を示す。
【発明を実施するための形態】
【００２１】
以下の記載において、限定ではなく解説を目的として、本発明の一貫した理解を提供するために、特定の一連のステップ、シグナリングプロトコル及び装置構成のような個別の詳細が記載される。当業者には、本発明がこれら個別の詳細から逸脱した他の実施形態において実施されうることが明らかであろう。
【００２２】
さらに、当業者は、本明細書で解説される手段及び機能が、プログラムされたマイクロプロセッサ又は汎用コンピュータと連動して機能するソフトウェアを用いて、及び／又は、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）を用いて実装されうることが分かるであろう。また、本発明は主として、方法及び装置の形態において記載されているが、コンピュータプログラム製品において、同様に、コンピュータプロセッサと当該プロセッサに接続されるメモリとを含むシステムにおいて具現されうるものであり、メモリが本明細書で開示される機能を実行しうる1つ以上のプログラムにより復号されることが分かるであろう。
【００２３】
本発明は、無線通信システムにおけるハイブリッド自動再送要求プロトコル（ｈｙｂｒｉｄ  ａｕｔｏｍａｔｉｃ  ｒｅｐｅａｔ  ｒｅｑｕｅｓｔ  ｐｒｏｔｏｃｏｌ）を利用するデータ伝送のための方法及び構成に関する。このような通信システムの構造が、先に記載した図１において示されている。
【００２４】
本発明の一実施形態によれば、ネットワークノード３０、例えばＮｏｄｅＢは、当該ＮｏｄｅＢ３０がデータをそこから受信するＵＥ２０が電力要求状況（ｐｏｗｅｒ  ｃｈａｌｌｅｎｇｅｄ  ｓｉｔｕａｔｉｏｎ）にあるかどうかを確認する。ＵＥ２０が電力要求状況にあることが確認されている場合に、ＮｏｄｅＢ３０は、無線ネットワーク制御ノード、例えばＲＮＣ４０に対して、ＵＥ２０のＳＩＲ目標値を維持するための標識を送信する。その結果として、ＲＮＣ４０におけるアップリンクＯＬＰＣは、ＵＥ２０のＳＩＲ目標値を変更しない。さらに、このことは、ＵＥ２０の出力電力レベルが、ＵＥが電力要求状況にある限り変更されないということを意味している。
【００２５】
ここで、本発明の一実施形態に係る方法のフローチャートを示す図２を参照することにする。
【００２６】
無線通信システムにおいて、ＵＥ２０は、ＮｏｄｅＢ３０へとアップリンクデータを送信し（２００）、その後、ＮｏｄｅＢ３０は、ＨＡＲＱ受信機において当該アップリンクデータを受信する。ＨＡＲＱ受信機は、ＨＡＲＱプロトコルを用いて受信されたアップリンクデータを復号し（２１０）、アップリンクデータのＨＡＲＱ再送数が決定される（２２０）。更なるステップにおいて、ＮｏｄｅＢ３０は、ＯＬＰＣリアクション（ｒｅａｃｔｉｏｎ）が防止されるべき電力要求状況の下にＵＥ２０があるかどうかを確認する（２３０）。ＵＥ２０が電力要求状況にあることをＮｏｄｅＢ３０が確認した場合に、ＮｏｄｅＢ３０は、ＵＥ２０のＳＩＲ目標値を維持するための標識を設定する（２４０）。さらに、標識は、無線通信システムに含まれるＲＮＣ４０に対してＮｏｄｅＢがシグナリングするインジケータ（ｉｎｄｉｃａｔｏｒ）（２５０）として実現される。標識は、ＲＮＣ４０において受信され、ＲＮＣ４０は、後続のＯＬＰＣ手続きの間、ＵＥ２０のＳＩＲ目標値を維持する。
【００２７】
１の代替例によれば、標識及びアップリンクデータは、ＤＣＨフレームプロトコルにおいてＲＮＣ４０に一緒に送信される。他の代替例によれば、インジケータは、ＤＣＨフレームプロトコルの専用フィールド又は情報エレメントを用いて送信される。
更に別の代替例において、ＲＮＣ４０は、ＤＣＨフレームプロトコル、特に、ＤＣＨフレームプロトコルにおいて特化された「ＨＡＲＱ再送数」（“ｎｕｍｂｅｒ  ｏｆ  ＨＡＲＱ  ｒｅｔｒａｎｓｍｉｓｓｉｏｎｓ”、ＮＨＲ）を利用して状況が知らされる。
更なる代替例において、ＤＣＨフレームプロトコルにおけるＮＨＲフィールドは、ＮｏｄｅＢ３０がＵＥ電力要求状況を確認した場合には常に、値１４に設定される。その結果、ＲＮＣ４０は、ＯＬＰＣ手続きの間ＵＥ２０のＳＩＲ目標値を維持する。
【００２８】
値１３も、値１４の代わりに、ＮｏｄｅＢ３０がＵＥ電力要求状況を確認したことを示すために利用されることがあることが指摘される。
【００２９】
本発明の他の実施形態において、アップリンクデータがＨＡＲＱ受信機により正確に復号された場合に、ＤＣＨフレームプロトコルにおけるＮＨＲフィールドは、再送数が０を上回る場合に、値１４（又は１３）に設定される。このように、ＮＨＲフィールドは、ＵＥ２０のＳＩＲ目標値を維持表示するために設定される。追加的に、再送数がゼロの場合に、即ち、最初の送信が正確に復号された場合に、このことが、ＲＮＣに対してシグナリングされるＤＣＨフレームプロトコル内のＮＨＲフィールドにおいて記述される。さらに、ＨＡＲＱエラーが生じる場合に、ＮＨＲフィールドは、ＨＡＲＱエラーが生じた場合に、必要とされる再送数に設定される。従って、ＲＮＣでのＯＬＰＣ手続きによって、ＳＩＲ目標値は、アップリンクにおいて再送が必要でなかった場合にはＵＥ２０のＳＩＲ目標値が下げられ、ＨＡＲＱエラーの場合にはＳＩＲ目標値が上げられる。従って、ＯＬＰＣ手続きは、ＳＩＲ目標値が固定されたままの不感帯（ｄｅａｄ  ｚｏｎｅ）を有するが、再送無しと、ＨＡＲＱエラーとの２つの極端な場合にそれぞれ調整される。
【００３０】
本発明の更に別の実施形態において、アウターループ電力制御を維持するための標識が、ＯＬＰＣの維持を開始する１つのインジケータ、及び、ＯＬＰＣの維持を終了する１つのインジケータとして実装される。
【００３１】
以下では、本発明の複数の実施形態が、ＮｏｄｅＢにより確認される一連の電力要求状況を記載する。様々な状況が、ＮｏｄｅＢにより確認されうる一連の所定のＵＥ電力要求状況に含まれうる。ＮｏｄｅＢは、周期的に繰り返される手続きにおいてＵＥが電力要求状況にあることを確定しうる。
【００３２】
第１に、所定の状況は、ＵＥ２０が電力を制限されている場合でありうる。ＵＥ２０は、電力不足のためより多くの再送を要求する。さらに、ＯＬＰＣ手続きがＳＩＲ目標値を維持せず、代わりにＳＩＲ目標値を上げる場合に、即ち、ＵＥ２０にその電力レベルを上げさせる場合には、状況を悪化させるであろう。
【００３３】
第２に、所定の状況は、ＮｏｄｅＢ３０が、例えばチャネル推定の収束（ｃｈａｎｎｅｌ  ｅｓｔｉｍａｔｉｏｎ  ｃｏｎｖｅｒｇｅｎｃｅ）のために、一時的に通常よりも効果が低いこともある干渉除去を採用する場合でありうる。このような状況において得られる高い再送数によって、ＯＬＰＣ手続きがＳＩＲ目標値を維持しない場合に、ＵＥ２０の電力レベルが上げられるが、このことは干渉除去アルゴリズムが回復している場合には必要とされない。
【００３４】
第３に、所定の状況は、ＮｏｄｅＢ３０が、検出された不安定性（ｉｎｓｔａｂｉｌｉｔｙ）を有しており、アップリンク電力制御を維持しながら不安定性を解消することによって電力ラッシュを防止することを望んでいる場合でありうる。ＮｏｄｅＢ３０による不安定性の検出は、評価されたアップリンク雑音が所定の閾値を上回っていること、又は、ＳＩＲの誤差分散（ｅｒｒｏｒ  ｖａｒｉａｎｃｅ）が所定の閾値を上回っていることに基づきうる。誤った警報を低減し、検出をより信頼性があるものとするために、不安定性の検出に関連して、不安定性インジケータ（ｉｎｓｔａｂｉｌｉｔｙ  ｉｎｄｉｃａｔｏｒ）が利用されうることに注意されたい。
【００３５】
アップリンクにおけるインナーループ電力制御（ｉｎｎｅｒ  ｌｏｏｐ  ｐｏｗｅｒ  ｃｏｎｔｒｏｌ）は、ダウンリンクにおいて受信される1つ以上のＴＰＣ（ｔｒａｎｓｍｉｔ  ｐｏｗｅｒ  ｃｏｎｔｒｏｌ、送信電力制御）コマンド（２７０）に従ってその出力レベルを調整するという、ＵＥの能力である。ある不安定な状況（ｉｎｓｔａｂｉｌｉｔｙ  ｓｉｔｕａｔｉｏｎ）が検出されている場合に、交互のＴＰＣコマンド、アップ・ダウン・アップ・ダウン（ｕｐ‐ｄｏｗｎ‐ｕｐ‐ｄｏｗｎ）をＵＥ２０に送信することにより、即ちＴＰＣコマンドのトグリング（ｔｏｇｇｌｉｎｇ）のことであるが、インナーループ電力制御が維持されることもある。このことは、セル内の全てのアップリンク接続、又は、当該セル内のアップリンク接続の部分集合に対して適用されうるであろう。しかし、ＴＰＣコマンドのトグリングが、ソフトハンドオーバにおける問題、即ち、ＵＥが呼び出しの間に２つ以上のセルに同時に接続されることを引き起こす可能性があることが公知である。その結果、トグリングは、ソフトハンドオーバの最中ではないＵＥに対してのみ利用されうる。ソフトハンドオーバの最中のＵＥについては、ＵＥの出力電力レベルを維持し、かつ、ソフトハンドオーバの最中である場合にＵＥ２０により適用されるＴＰＣコマンドの信頼性判定に依拠することを望むセルから、いずれかのＴＰＣコマンドを送信することによって防止される。本発明の一実施形態において、ＴＰＣコマンドは、ＵＥ２０への信号「出力電力維持」（“ｈｏｌｄ  ｔｈｅ  ｏｕｔｐｕｔ  ｐｏｗｅｒ”）に導入される。
【００３６】
さらに、検出された不安定な状況において電力ラッシュに寄与するＵＥが幾つか存在する場合に、様々なＵＥに対してシグナリングされるＴＰＣコマンド、アップ・ダウン・アップ・ダウンは、およそ半分のＵＥが「アップ」コマンドを受信し他の半分が「ダウン」コマンドを受信するように、可能な限りずらされる。
【００３７】
代替的な実施形態として、基地局がＵＥに特定のＴＰＣコマンドパターンを送信する、構成可能な限定出力電力増加操作（ｌｉｍｉｔｅｄ  ｏｕｔｐｕｔ  ｐｏｗｅｒ  ｉｎｃｒｅａｓｅ  ｏｐｅｒａｔｉｏｎ）が存在しうるが、双方とも、無線リンク品質の変化と、限定出力電力増加条件とを考慮している。さらに、構成可能な限定出力電力増加操作は、所定数の制御周期又はスロットに渡る電力制御コマンドの総数に対応して、電力調整数の上昇を制限する。例えば、３０個のコマンドごとに最大数の「アップ」コマンドが、３０個の「アップ」コマンドの最悪の状況を防止するために構成可能でありうるが、一方で、カバレージを損なうことを避ける必要があるＵＥのために、幾つかの出力電力増加は未だに可能とされる。「アップ」コマンドの数を、検討されるコマンド、この場合は３０個であるが、当該検討されるコマンドの半数以下に制限することにより、構成可能な限定出力電力増加操作は、ＵＥのための出力電力低減操作に対応し、このことはさらに、輻輳状況を解消することに役立ちうる。
【００３８】
図３の例によって示されるように、限定出力電力増加方法は、特定のＵＥのために最大１８個の「アップ」コマンドを構成している。評価されたＳＩＲとＳＩＲ目標値との比較のみを考察すると、基地局は、２つの左の図に示されるように、３０個のコマンドのうち、２４個の「アップ」コマンドを出すであろう。
【００３９】
限定増加の機能によって、最後の６個のコマンドは、その代わりに、右の図により示される構成に従った「ダウン」コマンドとなる。
【００４０】
ＮｏｄｅＢによる不安定性の検出が、ＳＩＲの誤差分散が所定の閾値を上回っていることに基づく場合に、ＳＩＲの誤差は、どのＵＥのＳＩＲ目標値を維持するかを確認するために利用されうる。
【００４１】
不安定性が解消される場合に、再送数が、ＤＣＨフレームプロトコルを介して再びシグナリングされる。
【００４２】
図４に示されるように、ＮｏｄｅＢ３０は、ＵＥ２０からアップリンクデータを受信するためのＨＡＲＱ受信機を含む。ＨＡＲＱ受信機は、ＨＡＲＱプロトコルを用いてアップリンクデータを復号するための手段を含む。ＨＡＲＱ受信機はさらに、アップリンクデータの復号結果を決定するための手段３２を含む。ＮｏｄｅＢ３０は、ＵＥ２０が所定のＵＥ電力要求状況にあるかを確認するための手段３４と、ＵＥ２０がＵＥ電力要求状況にあることが確認されている場合に基づいて、ＵＥ２０のＳＩＲ目標値を維持するための標識を設定する手段３６と、を含む。ＮｏｄｅＢ３０はさらに、ＲＮＣ４０に対して標識及びアップリンクデータをシグナリングするよう適合された送信機３８を含む。
【００４３】
さらに、図４に示されるように、ＲＮＣ４０は、ＵＥが所定のＵＥ電力要求状況にあることが確認されている場合に、ＵＥ２０に関するデータと、ＵＥのＳＩＲ目標値を維持するためのＵＥ２０に関する標識と、をノード３０から受信するための受信機４２を含む。さらに、ＲＮＣ４０は、受信された標識において表示される場合に、ＵＥ２０のＳＩＲ目標値を維持するための手段４４を含む。
【００４４】
本発明が、特定の実施形態（特定の機器構成、及び、様々な方法における特定の順序のステップを含む）に関して記載されてきたが、当業者は、本発明が、本明細書で記載され示される一定の実施形態に限定されないことが分かるであろう。そのため、本開示は単に例示的なものと了解される。従って、本発明は、本明細書に添付の特許請求の範囲によってのみ限定されるものとする。
【図１】
2011503962.tif 000003
【図２】
2011503962.tif 000004
【図３】
2011503962.tif 000005
【図４】
2011503962.tif 000006
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
無線通信システム（１０）に含まれるネットワークノード（３０）における方法であって、前記ネットワークノードは、少なくとも１つのユーザ機器（２０）との無線通信を可能にするよう適合され、
前記方法は、
前記少なくとも１つのユーザ機器からアップリンクデータを受信するステップ（２００）と、
前記少なくとも１つのユーザ機器が、一連の所定のユーザ機器電力要求状況のうちの少なくとも１つの状況にあるかどうかを確認するステップ（２３０）と、
前記少なくとも１つのユーザ機器が一連の所定のユーザ機器電力要求状況のうちの少なくとも１つの状況にあることが確認されている場合に、前記少なくとも１つのユーザ機器のための信号対干渉比であるＳＩＲ（ｓｉｇｎａｌ  ｔｏ  ｉｎｔｅｒｆｅｒｅｎｃｅ  ｒａｔｉｏ）目標値を維持するための標識を設定するステップ（２４０）と、
前記無線通信システムに含まれる無線ネットワーク制御ノード（４０）に対して前記アップリンクデータと共に前記標識をシグナリングするステップ（２５０）と、
を含み、
前記標識は、専用チャネル（ＤＣＨ：ｄｅｄｉｃａｔｅｄ  ｃｈａｎｎｅｌ）フレームプロトコルにおいて符号化され、前記ネットワークノードは、誤り制御のためのハイブリッド自動再送要求（ＨＡＲＱ：ｈｙｂｒｉｄ  ａｕｔｏｍａｔｉｃ  ｒｅｐｅａｔ  ｒｅｑｕｅｓｔ）を利用するよう適合される、
方法。
【請求項２】
前記方法は、
ＨＡＲＱプロトコルを用いて前記受信されたアップリンクデータを復号するステップ（２１０）と、
前記受信されたアップリンクデータの前記復号の結果を決定するステップ（２２０）と、
を含み、
前記少なくとも１つのユーザ機器の前記ＳＩＲ目標値を維持するための前記標識は、追加的に、前記受信されたアップリンクデータの前記復号の前記決定された結果に基づく、
請求項１に記載の方法。
【請求項３】
前記一連の所定のユーザ機器電力要求状況は、前記少なくとも１つのユーザ機器が電力を制限されている状況を含む、前記請求項１又は２に記載の方法。
【請求項４】
前記一連の所定のユーザ機器電力要求状況は、前記少なくとも１つのユーザ機器が干渉除去処理に陥っている状況を含む、前記請求項１〜３のいずれかに記載の方法。
【請求項５】
前記一連の所定のユーザ機器電力要求状況は、前記少なくとも１つのユーザ機器が検出された不安定な状況に陥っている状況を含む、前記請求項１〜４のいずれかに記載の方法。
【請求項６】
前記検出された不安定な状況は、評価されたアップリンク雑音の上昇が、所定の閾値を上回っていることに基づく、前記請求項５に記載の方法。
【請求項７】
前記検出された不安定な状況は、ＳＩＲの誤差分散が所定の閾値を上回っていることに基づく、前記請求項５に記載の方法。
【請求項８】
前記方法は、インナーループ電力制御を維持するために前記少なくとも１つのユーザ機器にシグナリングする追加的なステップ（２７０）を含む、前記請求項４〜７のいずれかに記載の方法。
【請求項９】
インナーループ電力制御を維持するために前記少なくとも１つのユーザ機器にシグナリングする前記ステップ（２７０）は、交互の電力制御コマンドをシグナリングすることにより実行される、前記請求項８に記載の方法。
【請求項１０】
前記方法は、前記少なくとも１つのユーザ機器に対して、限定出力電力増加操作をシグナリングする追加的なステップ（２７０）を含み、
前記限定出力電力増加操作は、所定数の制御周期又はスロットに渡る電力制御コマンドの総数に対応して、前記電力調整の数の上昇を制限する、前記請求項４〜７のいずれかに記載の方法。
【請求項１１】
前記標識は、前記ＤＣＨフレームプロトコルの固定部分において送信される、前記請求項１〜１０のいずれかに記載の方法。
【請求項１２】
前記ＤＣＨフレームプロトコルは、「ＨＡＲＱ再送数」フィールドを含み、前記標識は、前記ＨＡＲＱ再送数フィールドにおいて符号化される、前記請求項１１に記載の方法。
【請求項１３】
無線通信システム（１０）に接続されるよう構成されたネットワークノード（３０）であって、前記ネットワークノードは、少なくとも１つのユーザ機器（２０）との無線通信を可能にするよう適合され、
前記ネットワークノードは、
前記少なくとも１つのユーザ機器からアップリンクデータを受信するための受信機（３２）と、
前記少なくとも１つのユーザ機器が、一連の所定のユーザ機器電力要求状況のうちの少なくとも１つの状況にあるかどうかを確認するための手段（３４）と、
前記少なくとも１つのユーザ機器が一連の所定のユーザ機器電力要求状況のうちの少なくとも１つの状況にあることが確認されている場合に、前記少なくとも１つのユーザ機器のＳＩＲ目標値を維持するための標識を設定する手段（３６）と、
前記無線通信システムに含まれる無線ネットワーク制御ノード（４０）に対して前記アップリンクデータと共に前記標識をシグナリングするための送信機（３８）と、
を備え、
前記標識は、専用チャネル（ＤＣＨ）フレームプロトコルにおいて符号化され、前記ネットワークノードは、誤り制御のためのハイブリッド自動再送要求（ＨＡＲＱ）を利用するよう適合される、
ネットワークノード。
【請求項１４】
前記ネットワークノードは、
ＨＡＲＱプロトコルを用いて前記受信されたアップリンクデータを復号するための復号器（３２）と、
前記受信されたアップリンクデータの前記復号の結果を決定するための手段（３２）と、
を備え、
前記ユーザ機器の前記ＳＩＲ目標値を維持するための前記標識は、追加的に、前記受信されたアップリンクデータの前記復号の前記決定された結果に基づく、
請求項１３に記載のネットワークノード。
【請求項１５】
前記一連の所定のユーザ機器電力要求状況は、前記少なくとも１つのユーザ機器が電力を制限されている状況を含む、前記請求項１３又は１４に記載のネットワークノード。
【請求項１６】
前記一連の所定のユーザ機器電力要求状況は、前記少なくとも１つのユーザ機器が干渉除去処理に陥っている状況を含む、前記請求項１３〜１５のいずれかに記載のネットワークノード。
【請求項１７】
前記一連の所定のユーザ機器電力要求状況は、前記少なくとも１つのユーザ機器が検出された不安定な状況にある状況を含む、前記請求項１３〜１６のいずれかに記載のネットワークノード。
【請求項１８】
前記検出された不安定な状況は、評価されたアップリンク雑音の上昇が、所定の閾値を上回っていることに基づく、前記請求項１７に記載のネットワークノード。
【請求項１９】
前記検出された不安定な状況は、ＳＩＲの誤差分散が所定の閾値を上回っていることに基づく、前記請求項１７に記載のネットワークノード。
【請求項２０】
前記ネットワークノードは、インナーループ電力制御を維持するために前記少なくとも１つのユーザ機器に対してシグナリングするための送信機（３８）を備える、前記請求項１６〜１９のいずれかに記載のネットワークノード。
【請求項２１】
インナーループ電力制御を維持するための前記少なくとも１つのユーザ機器に対するシグナリングは、交互の電力制御コマンドをシグナリングすることにより実行される、前記請求項２０に記載のネットワークノード。
【請求項２２】
前記少なくとも１つのユーザ機器に対して限定出力電力増加操作をシグナリングするための送信機（３８）を含み、
前記限定出力電力増加操作は、所定数の制御周期又はスロットに渡る電力制御コマンドの総数に対応して、前記電力調整の数の上昇を制限する、前記請求項１６〜１９のいずれかに記載のネットワークノード。
【請求項２３】
前記標識は、前記ＤＣＨフレームプロトコルの固定部分において送信されるよう構成される、前記請求項１３〜２２のいずれかに記載のネットワークノード。
【請求項２４】
前記ＤＣＨフレームプロトコルは、「ＨＡＲＱ再送数」フィールドを含み、前記標識は、前記ＨＡＲＱ再送数フィールドにおいて符号化される、前記請求項２３に記載のネットワークオノード。
【請求項２５】
無線通信システム（１０）に含まれる無線ネットワーク制御ノード（４０）における方法であって、前記無線ネットワーク制御ノードは、少なくとも１つのユーザ機器（２０）との無線通信を可能にするネットワークノード（３０）に接続され、
前記方法は、
前記少なくとも１つのユーザ機器が一連の所定のユーザ機器電力要求状況のうちの少なくとも１つの状況にあることが確認されている場合に、前記少なくとも１つのユーザ機器に関するアップリンクデータと、前記少なくとも１つのユーザ機器のＳＩＲ目標値を維持するための前記少なくとも１つユーザ機器に関する標識と、を前記ネットワークノード（３０）から受信する（２５０）ステップであって、前記標識は専用チャネル（ＤＣＨ）フレームプロトコルにおいて符号化される、前記受信するステップ（２５０）と、
前記標識において表示される場合に、前記少なくとも１つのユーザ機器の前記ＳＩＲ目標値を維持する（２６０）ステップであって、前記ネットワークノードは誤り制御のためのハイブリッド自動再送要求（ＨＡＲＱ）を利用するよう適合される、前記維持するステップ（２６０）と、
を含む、方法。
【請求項２６】
前記標識は、前記ＤＣＨフレームプロトコルの固定部分において送信される、前記請求項２５に記載の方法。
【請求項２７】
前記ＤＣＨフレームプロトコルは、「ＨＡＲＱ再送数」フィールドを含み、前記標識は、前記ＨＡＲＱ再送数フィールドにおいて符号化される、前記請求項２６に記載の方法。
【請求項２８】
無線通信システム（１０）に接続されるよう構成された無線ネットワーク制御ノード（４０）であって、前記無線ネットワーク制御ノードは、少なくとも１つのユーザ機器（２０）との無線通信を可能にするネットワークノード（３０）に接続されるように構成され、
前記無線ネットワーク制御ノードは、
前記少なくとも１つのユーザ機器が一連の所定のユーザ機器電力要求状況のうちの少なくとも１つの状況にあることが確認されている場合に、前記少なくとも１つのユーザ機器に関するアップリンクデータと、前記少なくとも１つのユーザ機器のＳＩＲ目標値を維持するための前記少なくとも１つユーザ機器に関する標識と、を前記ネットワークノード（３０）から受信するための受信機（４２）であって、前記標識は専用チャネル（ＤＣＨ）フレームプロトコルにおいて符号化される、前記受信機（４２）と、
前記標識において表示される場合に、前記少なくとも１つのユーザ機器の前記ＳＩＲ目標値を維持するための手段（４４）であって、前記ネットワークノードは誤り制御のためのハイブリッド自動再送要求（ＨＡＲＱ）を利用するよう適合される、前記維持するための手段（４４）と、
を備える、無線ネットワーク制御ノード。
【請求項２９】
前記標識は、前記ＤＣＨフレームプロトコルの固定部分において送信されるよう構成される、前記請求項２８に記載の無線ネットワーク制御ノード。
【請求項３０】
前記ＤＣＨフレームプロトコルは、「ＨＡＲＱ再送数」フィールドを含み、前記標識は、前記ＨＡＲＱ再送数フィールドにおいて符号化される、前記請求項２９に記載の無線ネットワーク制御ノード。
【国際調査報告】
2011503962.tif 000007
2011503962.tif 000008
2011503962.tif 000009